(57)【要約】【課題】冷蔵庫のドアポケットにおいて、高さの低い食品の包装物上の空間を有効に活用する。【解決手段】略矩形板状に形成された組み立て用簡易棚１であって、いずれも略短冊状の中央部２、中央部を挟んだ両側の第１の側部３および第２の側部４の３部分からなり、中央部には、略矩形の本体１６、ならびに本体からそれぞれ第１の側部内および第２の側部内に折り目１７、１８を介して張り出す２つの係止片１９、２０を有する底部８が形成され、第１の側部および第２の側部には、略矩形の底保持部本体３４、３５および連結用の切れ目が形成され、中央部、第１の側部および第２の側部が折り曲げられ、底部が中央部、第１の側部および第２の側部のいずれにも直交するように折り曲げられたときに、係止片が連結用の切れ目に差し入れ可能に構成されている。【選択図】図１
0003146356.tif 000002
【実用新案登録請求の範囲】
【請求項１】
略矩形板状に形成された組み立て用簡易棚であって、
いずれも略短冊状の中央部、前記中央部を挟んだ両側の第１の側部および第２の側部の３部分からなり、
前記中央部に配されて前記中央部の長手方向に直交する２辺を有する略矩形の本体ならびに前記本体の他の２辺からそれぞれ前記第１の側部内および前記第２の側部内に折り目を介して張り出す２つの係止片を有する底部が、
前記中央部の長手方向の一方の側、前記第１の側部側および前記第２の側部側に切れ込みが入れられ、
かつ前記長手方向の他方の側に底部折り目が設けられることにより区分されており、
前記第１の側部および前記第２の側部のそれぞれに配されて前記長手方向に直交する２辺を有する略矩形の底保持部本体が、
他の２辺および前記長手方向に直交する２辺のうちの前記他方の側の辺に切れ込みが入れられ、前記長手方向の一方の側の辺の両端に底保持部折り目が設けられ、
かつそれぞれの前記底保持部折り目の内方端から前記長手方向の他方の側に延びたのち延びた端を真っ直ぐに結ぶ連結用の切れ目が入れられ、またはそれぞれの前記底保持部折り目の内方端の間を一方の端縁として前記長手方向の他方の側に幅を有する連結用の切れ込みが入れられることにより区分されており、
前記中央部、前記第１の側部および前記第２の側部がそれぞれを区分する線でコ字状に折り曲げられ、前記底部が前記中央部、前記第１の側部および前記第２の側部のいずれにも直交するように折り曲げられたときに、前記係止片が前記連結用の切れ目または前記連結用の切れ込みに差し入れ可能に構成された
ことを特徴とする組み立て用簡易棚。
【考案の詳細な説明】
【技術分野】
【０００１】
本考案は、例えば、冷蔵庫のドアポケット等に食品を収納する際に用いる組み立て用簡易棚に関するものである。
【背景技術】
【０００２】
従来、冷蔵庫のドアポケットは、冷蔵庫のドアの裏側に設けられているため、奥行きよりも横幅が広い棚を多段に設けた構造となっている。このような冷蔵庫のドアポケットには牛乳パック、びんおよびカンなどに包装された食品が収納されるが、これらには高さの低いものもあり、ドアポケットの収納空間が有効に活用されていなかった。
そこで、冷蔵庫のドアポケットに収納する食品の包装物の高さに応じて、ドアポケットの底を伸縮させる技術が提案されている（特許文献１）。特許文献１に記載された技術において、冷蔵庫のドアポケットは、多段に設けた棚のうち最上段の棚の底を２枚の櫛歯状の摺動板を噛み合わせて横方向に伸縮自在としている。
【特許文献１】実公昭５７−１３４５９３号公報
【考案の開示】
【考案が解決しようとする課題】
【０００３】
しかしながら、特許文献１に記載された技術では、上の段の棚における底を縮めることで、その下の段の棚から高さの高い包装物に包装された食品が通過できる空間を確保しているが、冷蔵庫の製造時にドアポケットの底を伸縮できる範囲が決まっていた。したがって、使用者にとって高さの高い包装物に包装された食品を収納できる量は制限され、高さの低い包装物の上に空いた空間を十分に活用できていなかった。
かかる問題に鑑み、本考案は、冷蔵庫のドアポケットにおいて、高さの低い包装物に包装された食品上の空間を有効に活用し、且つ構造が簡単な組み立て用簡易棚を提供することを目的とする。
【課題を解決するための手段】
【０００４】
本考案は、略矩形板状に形成された組み立て用簡易棚であって、いずれも略短冊状の中央部、前記中央部を挟んだ両側の第１の側部および第２の側部の３部分からなり、前記中央部に配されて前記中央部の長手方向に直交する２辺を有する略矩形の本体ならびに前記本体の他の２辺からそれぞれ前記第１の側部内および前記第２の側部内に折り目を介して張り出す２つの係止片を有する底部が、前記中央部の長手方向の一方の側、前記第１の側部側および前記第２の側部側に切れ込みが入れられ、かつ前記長手方向の他方の側に底部折り目が設けられることにより区分されており、前記第１の側部および前記第２の側部のそれぞれに配されて前記長手方向に直交する２辺を有する略矩形の底保持部本体が、他の２辺および前記長手方向に直交する２辺のうちの前記他方の側の辺に切れ込みが入れられ、前記長手方向の一方の側の辺の両端に底保持部折り目が設けられ、かつそれぞれの前記底保持部折り目の内方端から前記長手方向の他方の側に延びたのち延びた端を真っ直ぐに結ぶ連結用の切れ目が入れられ、またはそれぞれの前記底保持部折り目の内方端の間を一方の端縁として前記長手方向の他方の側に幅を有する連結用の切れ込みが入れられることにより区分されており、前記中央部、前記第１の側部および前記第２の側部がそれぞれを区分する線でコ字状に折り曲げられ、前記底部が前記中央部、前記第１の側部および前記第２の側部のいずれにも直交するように折り曲げられたときに、前記係止片が前記連結用の切れ目または前記連結用の切れ込みに差し入れ可能に構成されている。
【０００５】
なお、「切れ目」または「切れ込み」には、単なる打ち抜きが含まれる。
【考案の効果】
【０００６】
本考案によると、 冷蔵庫のドアポケットにおいて、高さの低い包装物に包装された食品上の空間を有効に活用できる。
【考案を実施するための最良の形態】
【０００７】
以下、本考案の実施形態を、図面に基づき説明する。
また、組み立て用簡易棚１における縦方向とは図１における上下方向をいい、組み立て用簡易棚１における横方向とは図１における左右方向をいう。組み立て用簡易棚１の表面とは図１に示された組み立て用簡易棚１の見える面をいい、組み立て用簡易棚１の裏面とは図１に示された組み立て用簡易棚１の見えない面をいう。
図１〜６に示される本考案に係る組み立て用簡易棚１は、略矩形状の平板であるプラスチック（ポリプロピレン）製段ボールから、一工程の打ち抜き加工によって製作される。
【０００８】
組み立て用簡易棚１には、中央部２、第１の側部（左側部）３、第２の側部（右側部）４が形成されている。組み立て用簡易棚１における中央部２と左側部３との間、および中央部２と右側部４との間には、それぞれを区分する線（左区分線５、右区分線６）が形成されている。
中央部２は、上から順に、上前面部７、底部８、第１開口部９および下前面部１０からなる。
上前面部７は、中央部２の最も上寄りに位置し、横長な略矩形状である。上前面部７は、左側部３および右側部４に挟まれ、左右の各第１縦折り目（左第１縦折り目１１、右第１縦折り目１２）を介して、各側部３、４の上部寄り左右方向の内方端に、折曲げ自在に連続している。各第１縦折り目１１、１２は、各区分線５、６と重なっている。各第１縦折り目１１、１２に沿って、凹みが組み立て用簡易棚１の裏面側に形成されている。
【０００９】
上前面部７には、上述した一工程の打ち抜き加工により、ハート型に切り抜かれた打ち抜き窓１３と、各第１縦折り目１１、１２の上端を横方向に結ぶように延びる第１横折り目１４とが設けられている。打ち抜き窓１３は、上前面部７における横方向の中心よりも右寄り（上前面部７において左右非対称な位置）に設けられる。
上前面部７には、第１横折り目１４にて折曲自在な上端片１５が設けられる。上端片１５は、上述した一工程の打ち抜き加工により略台形状に形成されている。第１横折り目１４に沿って、切れ目が組み立て用簡易棚１の裏面側に形成されている。
【００１０】
底部８は、上前面部７の下方であって中央部２の縦方向略中央に位置している。底部８は、略矩形の本体１６、ならびに本体１６からそれぞれ左側部３内および右側部４内に左右の各折り目（左第２縦折り目１７、右第２縦折り目１８）を介して、左右外方へ張り出す左右の各係止片（左係止片１９、右係止片２０）を有する。
底部８の本体１６は、上前面部７の下端に、横方向に延びる底部折り目２１を介して、折曲げ自在に連続している。したがって、本体１６における、中央部２の２つの短辺の他方（中央部２の上辺寄り）の側は、底部折り目２１により上前面部７と区分されている。
【００１１】
底部８の各係止片１９、２０は、縦長の略矩形状であり、その左右外方寄りの上下角に丸みがついている。そして、各第２縦折り目１７、１８は、各区分線５、６とほぼ重なり、各第１縦折り目１１、１２よりも組み立て用簡易棚１の厚みと略同じ幅分だけ左右内方に位置する。
底部８は、中央部２の２つの短辺の一方（中央部２の下辺寄り）の側を打ち抜き、左側部３側および右側部４側に切れ込み（左第１切れ込み部２２、右第１切れ込み部２３）を入れることで形成される。
【００１２】
各第１切れ込み部２２、２３は、底部８の左右外方に位置しており、底部８を各側部３、４の左右内方縁（各第１縦折り目１１、１２）から、組み立て用簡易棚１の厚みと略同じ幅だけ左右内方へ切り抜いた部分をいう。各第１切れ込み部２２、２３は、その縦方向中途部が本体１６の左右両端から左右外方へ突出する各係止片１９、２０の周縁に沿うように形成されている。つまり、各第１切れ込み部２２、２３は、各区分線５、６を跨って各側部３、４にまで切り込んで形成されており、中央部２の左右外方に向けて湾曲している。
【００１３】
各第２縦折り目１７、１８に沿って、凹みが組み立て用簡易棚１の表面側に形成され、底部折り目２１に沿って、凹みが組み立て用簡易棚１の裏面側に形成されている。
第１開口部９は、横長な略矩形状の切り抜きであり、底部８の下方に位置している。第１開口部９は、左側部３および右側部４の左右内端に亘るように形成されている。
下前面部１０は、第１開口部９の下方であって中央部２の最も下寄りに位置し、横長な略矩形状である。下前面部１０は、左側部３および右側部４に挟まれ、左右の各第３縦折り目（左第３縦折り目２４、右第３縦折り目２５）を介して、各側部３、４の下部寄り左右内端に、折曲げ自在に連続している。また、各第３縦折り目２４、２５に沿って、凹みが組み立て用簡易棚１の裏面側に形成されている。各第３縦折り目２４、２５は、各区分線５、６とほぼ重なる。
【００１４】
中央部２において、上前面部７および底部８の本体１６に跨って円形状に切り抜いた左右の各第２開口部（左第２開口部２６、右第２開口部２７）が、底部折り目２１の中途部に横方向に２箇所に設けられている。
左側部３および右側部４は、左右の各側部本体（左側部本体２８、右側部本体２９）、左右の各底保持部（左底保持部３０、右底保持部３１）からなる。
各側部本体２８、２９は、中央部２の横方向両側にそれぞれ位置する縦長な略短冊状の部分である。各側部本体２８、２９の横方向の長さは、底部８の本体１６の縦方向の長さと略同一とされている。各側部本体２８、２９の上端は、上述した一工程の打ち抜き加工により略台形状に上辺の左右の角を落として形成されている。
【００１５】
各底保持部３０、３１は、左右の各底保持部本体（左底保持部本体３４、右底保持部本体３５）、左右の各受け孔（左受け孔３６、右受け孔３７）および左右の各第３開口部（左第３開口部３２、右第３開口部３３）からなる。
各底保持部本体３４、３５は、横長の略矩形状であり、各側部本体２８、２９の上寄り横方向中央に位置する。各底保持部本体３４、３５は、その上辺側における左右の角に丸みがある。
各底保持部本体３４、３５は、中央部２（左右内方）側、これとは反対側および中央部２の２つの短辺の他方（中央部２の上辺寄り）の側に切れ込み（左第２切れ込み部３８、右第２切れ込み部３９）を入れることで形成される。各第２切れ込み部３８、３９は、各底保持部本体３４、３５の左右両端および上辺を全体として略コ字状に、各側部本体２８、２９から一定幅だけ切り離した部分をいう。
【００１６】
各底保持部本体３４、３５は、横方向に延びる左右の各底保持部折り目（左底保持部折り目４０、右底保持部折り目４１）を介して、各側部本体２８、２９の各第２切れ込み部３８、３９の下端を結ぶ線上に、折曲げ自在に連続している。したがって、各側部本体２８、２９における、中央部２の２つの短辺の一方（中央部２の下辺寄り）の側は、各底保持部折り目４０、４１により各側部本体２８、２９と区分されている。
各底保持部折り目４０、４１は、底部折り目２１よりも組み立て用簡易棚１の厚みと略同じ幅だけ下に位置する。各底保持部折り目４０、４１は、各底保持部折り目４０、４１に沿って、凹みが組み立て用簡易棚１の裏面側に形成されている。各底保持部折り目４０、４１は、各受け孔３６、３７によって、その中途部が分断されている。
【００１７】
各受け孔３６、３７は、左右の各縦切れ目（左縦切れ目４２、右縦切れ目４３）および左右の各横切れ目（左横切れ目４４、右横切れ目４５）からなる。
各縦切れ目４２、４３は、各底保持部折り目４０、４１の左右内側両端から上方へ、組み立て用簡易棚１の厚みの略２倍の長さだけ切れ込んだ組み立て用簡易棚１を貫通する切れ目である。
各横切れ目４４、４５は、底部折り目２１と略同じ高さにあって、各縦切れ目４２、４３の上端から横方向に切れ込んだ組み立て用簡易棚１を貫通する切れ目である。
【００１８】
これにより、各底保持部本体３４、３５を各底保持部折り目４０、４１にて略直角に折り曲げた際の各受け孔３６、３７の開口が、組み立て用簡易棚１の厚みと略同じ幅となり、組み立て用簡易棚１の組み立て時における高さ方向から各係止片１９、２０が嵌入保持可能となる。
各第３開口部３２、３３は、各底保持部本体３４、３５の上方に位置し、指が入る程度の略上半円形状の切り抜きである。したがって、各底保持部本体３４、３５を折り曲げる際に、各底保持部本体３４、３５を引き出し易くしている。
【００１９】
続いて、組み立て用簡易棚１の使用態様を説明する。
組み立て用簡易棚１を冷蔵庫ＲのドアポケットＰに用いる際には、まず組み立て用簡易棚１を以下の手順で組み立てる。
上前面部７の打ち抜き窓１３が向かって右寄りに見えるか否かで組み立て用簡易棚１の表面と裏面とを判別する。
次に、各側部３、４を、上前面部７に対して各第１縦折り目１１、１２に沿って山折り方向（組み立て用簡易棚１の裏面同士が近づく方向）に折り曲げ、底部８を、上前面部７に対して底部折り目２１に沿って山折り方向に折り曲げ、各側部３、４を、下前面部１０に対して各第３縦折り目２４、２５に沿って山折り方向に折り曲げ、各底保持部本体３４、３５を、各側部３、４に対して各底保持部折り目４０、４１に沿って山折り方向に折り曲げる（図２中の矢示Ａ、Ｂ、Ｃ）。
【００２０】
さらに、上端片１５を、上前面部７に対して第１横折り目１４に沿って谷折り方向にやや前方に折り曲げる（図３中の矢示Ｄ）。
そして、底部８を、底部８が各底保持部本体３４、３５よりも上方へ位置するまで上前面部７に対して折り曲げると同時に、各係止片１９、２０を、底部８の本体１６に対して各第２縦折り目１７、１８に沿って谷折り方向にやや前方に折り曲げる。また、底部８に対して略直角に折り曲げた各係止片１９、２０を、各受け孔３６、３７に上方から嵌入する（図３中の矢示Ｅ）。
【００２１】
最後に、上端片１５を、上前面部７に対してやや前方に折り曲げて、組み立て用簡易棚１の組み立てが完了する。
組み立て用簡易棚１は、各側部３、４および底部８が上前面部７に対して各第１縦折り目１１、１２および底部折り目２１に沿って略直角に折り曲げられ、各係止片１９、２０が底部８の本体１６に対して各第２縦折り目１７、１８に沿って略直角に折り曲げられ、各側部３、４が下前面部１０に対して各第３縦折り目２４、２５に沿って略直角に折り曲げられ、各底保持部本体３４、３５が各側部３、４に対して各底保持部折り目４０、４１に沿って略直角に折り曲げられている。
【００２２】
組み立てた組み立て用簡易棚１は、冷蔵庫ＲのドアポケットＰ中の高さの低い食品Ｓに被せ、また別の高さの低い食品Ｓを底部８の本体１６上に載せて使用することができる。したがって、高さの低い包装物で包装された食品Ｓ上の空間を有効に活用できる。
図４に示すように、底部８の上に食品Ｓを載せたまま、底部８の下にある食品Ｓを取り出す場合には、上端片１５を摘んで上方に引き上げる（図４中の矢示Ｆ）ことで、下の食品Ｓを取り出しやすくなる（図４中の矢示Ｇ）。
なお、冷蔵庫ＲのドアポケットＰの奥行きに対して、組み立てた組み立て用簡易棚１の前後方向の長さが長過ぎる場合等には、底部８の後端部および各側部３、４の後端部を、図１中の点線Ｈに示すように、各側部３、４の横方向の長さと底部８の縦方向の長さとが略同一となるように切り取ることができる。
【００２３】
また、冷蔵庫ＲのドアポケットＰの底が平坦ではない等により組み立て用簡易棚１が前方に倒れ込む場合には、図６に示すような、保持体４６を用いることができる。
保持体４６は、組み立てた組み立て用簡易棚１の上前面部７および各側部３、４を前後左右から取り囲んで引っ掛ける平面視四角形状のベルト部４７、ならびにベルト部４７の後部に設けられ冷蔵庫ＲのドアポケットＰの壁に吸着する吸盤部４８からなる。
上述の実施形態において、組み立て用簡易棚１は、防水加工がなされた紙製段ボールなど、ハサミ、カッターなどで切断可能な種々の材料を使用することができる。
【００２４】
また、組み立て用簡易棚１は、金型によって樹脂を一体成形したものであってもよい。
打ち抜き窓１３の大きさ・形状は、上前面部７の大部分を開口した左右非対称の長方形などであってもよい。
第１開口部９、下前面部１０、各第２開口部２６、２７および各第３開口部３２、３３は、必ずしも必要ではない。各第２開口部２６、２７は、円形以外の、三角形、四角形、六角形などの形状としてもよく、１つまたは３つ以上設けてもよい。
組み立て用簡易棚１を、各係止片１９、２０が各側部３、４側に設けられ、各底保持部３０、３１が底部８に設けられているものとしてもよい。
【００２５】
各受け孔３６、３７は、各底保持部折り目４０、４１の内方端の間を一方の端縁とし、中央部２の長手方向の他方の側に幅を有する連結用の切れ込み、つまり上下方向の幅が組み立て用簡易棚１の厚みと略同じ幅である横長な孔であってその下端縁が各底保持部折り目４０、４１の内方端を結ぶ直線上に位置するものとしてもよい。
【図面の簡単な説明】
【００２６】
【図１】本考案に係る組み立て用簡易棚の展開した状態の平面図である。
【図２】組み立て用簡易棚を折り曲げている途中の平面である。
【図３】組み立て用簡易棚を折り曲げている途中の要部斜視図である。
【図４】組み立て用簡易棚の使用状態図である。
【図５】組み立て用簡易棚を冷蔵庫に使用している際の使用状態図である。
【図６】組み立て用簡易棚に保持体の要部斜視図である。
【符号の説明】
【００２７】
１          組み立て用簡易棚
２          中央部
３、４      側部
８          底部
１９、２０  係止片
３４、３５  底保持部本体
４２、４３  縦切れ目
４４、４５  横切れ目
Ｓ          食品
【図１】
0003146356.tif 000003
【図２】
0003146356.tif 000004
【図３】
0003146356.tif 000005
【図４】
0003146356.tif 000006
【図５】
0003146356.tif 000007
【図６】
0003146356.tif 000008